(57)【要約】【課題】本発明は、通信システムにおける小規模通信領域のための通信サービスを提供するためのものである。【解決手段】本発明は、通信システムにおける小規模通信領域のための通信サービスを提供する方法であって、移動網登録端末機から有線網サービスの識別番号と有線網サービスデータの着信番号とを含む第１有線網サービスデータ発生メッセージを受信するステップと、予め格納しているホームサービスデータベースから上記有線網サービスの識別番号にマッピングされたフェムト基地局と有線網番号とを獲得するステップと、上記有線網番号を上記移動網登録端末機の発信番号に設定し、上記発信番号と上記着信番号とを含む第１初期アドレスメッセージを有線通信網へ送信するステップと、を含み、上記有線網サービスは上記小規模通信領域の内に位置した少なくとも１つの移動網登録端末機と、移動網未登録端末機に上記有線通信網から提供される通信サービスを表すことを特徴とする。【選択図】図１
2011114871.tif 000002
【特許請求の範囲】
【請求項１】
通信システムにおける小規模通信領域のための通信サービスを提供する方法であって、
移動網登録端末機から有線網（ホーム）サービスの識別番号と、有線網サービスデータの着信番号を含む第１有線網サービスデータ発生メッセージとを受信するステップと、
予め格納しているホームサービスデータベースから前記有線網サービスの識別番号にマッピングされたフェムト基地局と有線網番号とを獲得するステップと、
前記有線網番号を前記移動網登録端末機の発信番号に設定し、前記発信番号と前記着信番号とを含む第１初期アドレスメッセージを有線通信網へ送信するステップと、を含み、
前記有線網サービスは、前記小規模通信領域の内に位置した少なくとも１つの移動網登録端末機と、移動網未登録端末機に前記有線通信網から提供される通信サービスを表すことを特徴とする通信サービス提供方法。
【請求項２】
前記小規模通信領域は、事務室、住居地、及びビルディングのうち、少なくとも１つを含むことを特徴とする請求項１に記載の通信サービス提供方法。
【請求項３】
前記ホームサービスデータベースは、
前記通信システムが含むフェムト基地局の各々が有線網サービスに加入したか否か、前記有線網サービスに加入したフェムト基地局の各々のサービスカバレッジを表すフェムトセル識別子、前記フェムトセル識別子に対応するフェムト基地局が提供する有線網サービスの識別子、前記有線網サービスの識別子にマッピングされた有線網番号、及び前記有線網番号にマッピングされた有線網サービスメンバーのうち、少なくとも１つに対する情報が格納されており、
前記有線網番号は、該当する有線網サービスのデータ送受信時、着信／発信番号に使われ、前記有線網サービスメンバーは前記有線網サービスに加入している構成員であって、前記有線網サービスを提供する前記小規模通信領域の内に位置した、少なくとも１つの移動網登録端末機と、移動網未登録端末機とを含むことを特徴とする請求項１に記載の通信サービス提供方法。
【請求項４】
前記移動網未登録端末機から前記移動網未登録端末機の番号を含む第２有線網サービスデータ発生メッセージを受信するステップと、
予め格納している移動網未登録端末機の位置情報を使用して前記移動網未登録端末機が有線網サービスを提供する前記小規模通信領域に位置するか否かを確認するステップと、
前記移動網未登録端末機が前記小規模通信領域に位置した場合、前記ホームサービスデータベースから前記フェムトセルの識別子にマッピングされた有線網番号を獲得するステップと、
前記獲得された有線網番号を前記移動網登録端末機の発信番号に設定し、前記設定された発信番号と、前記第２有線網サービスデータの着信番号とを含む第２初期アドレスメッセージを前記有線通信網へ送信するステップと、
をさらに含むことを特徴とする請求項３に記載の通信サービス提供方法。
【請求項５】
前記有線網サービスに加入している第１有線網サービスメンバーから指定発信要請を含む第３有線網サービスデータ発生メッセージを受信するステップと、
前記第３有線網サービスデータ発生メッセージに含まれた指定発信要請ホームメンバーのみに前記第３有線網サービスデータが受信されるように設定するステップと、
をさらに含むことを特徴とする請求項３に記載の通信サービス提供方法。
【請求項６】
前記移動網登録端末機が前記有線通信網を通じて有線網サービスを提供する小規模通信領域の内に位置した状態で移動通信サービスデータが受信される場合、有線網サービスデータが受信されることを知らせるリング信号と区分されるリング信号を受信するように設定するステップをさらに含むことを特徴とする請求項１に記載の通信サービス提供方法。
【請求項７】
通信システムにおける小規模通信領域のための通信サービスを提供する方法であって、
有線通信網を通じて移動網登録端末機から発信要請された有線網サービスデータの着信番号を含む初期メッセージを受信すれば、前記着信番号を使用する着信側の位置情報を獲得するステップと、
予め格納しているホームサービスデータベースから前記着信側の位置情報が前記有線通信網を通じて提供される有線網サービスに加入しているフェムトセルを表すか否かを確認するステップと、
前記有線網サービスに加入しているフェムトセルを表す場合、前記ホームサービスデータベースから前記フェムトセル識別子にマッピングされた有線網サービスメンバー（ホームメンバー）を獲得し、前記有線網サービスメンバーの位置を確認するステップと、
前記確認の結果、前記有線網サービスメンバーが前記移動網登録端末機の位置情報が表す前記フェムトセルに位置する場合、前記有線網サービスメンバーに前記発信要請された有線網サービスデータの送信を知らせるリング信号を同時に送信するステップと、
前記有線網サービスメンバーのうち、第１有線網サービスメンバーから応答メッセージを受信すれば、前記第１有線網サービスメンバーを除外した残りの有線網サービスメンバーへの前記リング信号の送信を中断するステップと、をさらに含み、
前記有線網サービスは、前記小規模通信領域の内に位置した少なくとも１つの移動網登録端末機と、移動網未登録端末機に前記有線通信網から提供される通信サービスを表すことを特徴とする通信サービス提供方法。
【請求項８】
前記小規模通信領域は、事務室、住居地、及びビルディングのうち、少なくとも１つを含むことを特徴とする請求項７に記載の通信サービス提供方法。
【請求項９】
前記ホームサービスデータベースは、
前記通信システムが含むフェムト基地局が各々前記有線網サービスに加入したか否か、前記有線網サービスに加入したフェムト基地局の各々のフェムトセル識別子、前記フェムトセル識別子に対応するフェムト基地局が提供する有線網サービスの識別子、前記有線網サービスの識別子にマッピングされた有線網番号、及び前記有線網番号にマッピングされた有線網サービスメンバーのうち、少なくとも１つに対する情報が格納されており、
前記有線網番号は該当する前記有線網サービスのデータ送受信時、着信／発信番号として使われ、前記有線網サービスメンバーは前記有線網サービスに加入した構成員であって、前記有線網サービスを提供するフェムトセルの領域の内に位置した少なくとも１つの移動網登録端末機と、移動網未登録端末機とを含むことを特徴とする請求項７に記載の通信サービス提供方法。
【請求項１０】
前記有線通信網から特定の有線網サービスメンバーの有線網番号に設定された着信番号と、有線網サービスデータを含む初期メッセージを受信するステップと、
予め格納しているホームサービスデータベースから前記特定の有線網サービスメンバーの有線網番号にマッピングされたフェムト基地局を確認するステップと、
前記フェムト基地局を通じて前記特定のホームメンバーに前記有線網サービスデータを送信するステップと、
を含むことを特徴とする請求項７に記載の通信サービス提供方法。
【請求項１１】
前記移動網登録端末機に前記有線網サービスを提供するフェムトセル領域の内に位置した状態で移動通信サービスデータが受信される場合、前記リング信号と区分されるリング信号を前記移動網登録端末機に送信するステップをさらに含むことを特徴とする請求項７に記載の通信サービス提供方法。
【請求項１２】
通信システムにおける小規模通信領域のための通信サービスを提供する装置であって、
移動網登録端末機から有線網サービスの識別番号と、有線網サービスデータの着信番号を含む第１有線網サービスデータ発生メッセージとを受信する受信部と、
予め格納しているホームサービスデータベースから前記有線網サービスの識別番号にマッピングされたフェムト基地局と有線網番号とを獲得し、前記有線網番号を前記移動網登録端末機の発信番号に設定する制御部と、
前記発信番号と前記着信番号とを含む第１初期アドレスメッセージを有線通信網へ送信する送信部と、を含み、
前記有線網サービスは、前記小規模通信領域の内に位置した少なくとも１つの移動網登録端末機と、移動網未登録端末機に前記有線通信網から提供される通信サービスを表すことを特徴とする通信サービス提供装置。
【請求項１３】
前記小規模通信領域は、事務室、住居地、及びビルディングのうち、少なくとも１つを含むことを特徴とする請求項１２に記載の通信サービス提供装置。
【請求項１４】
前記ホームサービスデータベースは、
前記通信システムが含むフェムト基地局が各々有線網サービスに加入したか否か、前記有線網サービスに加入したフェムト基地局の各々のサービスカバレッジを表すフェムトセル識別子、前記フェムトセル識別子に対応するフェムト基地局が提供する有線網サービスの識別子、前記有線網サービスの識別子にマッピングされた有線網番号、及び前記有線網番号にマッピングされた有線網サービスメンバーに対する情報のうち、少なくとも１つが格納されており、
前記有線網番号は、該当する有線網サービスのデータ送受信時、着信／発信番号として使われ、前記有線網サービスメンバーは、前記有線網サービスに加入されている構成員であって、前記有線網サービスを提供する前記小規模移動通信領域の内に位置した少なくとも１つの移動網登録端末機と、移動網未登録端末機とを含むことを特徴とする請求項１２に記載の通信サービス提供装置。
【請求項１５】
前記受信部が前記移動網未登録端末機から前記移動網未登録端末機番号を含む第２有線網サービスデータ発生メッセージを受信すれば、
前記制御部は、予め格納している移動網未登録端末機の位置情報を使用して前記移動網未登録端末機が有線網サービスを提供する前記小規模通信領域に位置するか否かを確認し、前記移動網未登録端末機が前記小規模通信領域に位置した場合、前記ホームサービスデータベースから前記フェムトセル識別子にマッピングされた有線網番号を獲得し、前記獲得された有線網番号を前記移動網未登録端末機の発信番号に設定し、前記設定された発信番号と前記第２有線網サービスデータの着信番号とを含む第２初期アドレスメッセージを前記有線通信網へ送信するように前記送信部を制御することを特徴とする請求項１４に記載の通信サービス提供装置。
【請求項１６】
前記受信部が前記有線網サービスに加入している第１有線網サービスメンバーから指定発信要請を含む第３有線網サービスデータ発生メッセージを受信すれば、
前記制御部は、前記第３有線網サービスデータ発生メッセージに含まれた指定発信要請に対応する有線網サービスメンバーのみに前記第３有線網ホームサービスデータが受信されるように設定することを特徴とする請求項１４に記載の通信サービス提供装置。
【請求項１７】
前記制御部は、
前記移動網登録端末機が前記有線網サービスを提供するフェムトセル領域の内に位置した状態で移動通信サービスデータが受信される場合、前記有線網サービスデータが受信されることを知らせるリング信号と区分されるリング信号を受信するように設定することを特徴とする請求項１２に記載の通信サービス提供装置。
【請求項１８】
通信システムにおける小規模通信領域のための通信サービスを提供する装置であって、
有線通信網を通じて移動網登録端末機から発信要請された有線網サービスデータの着信番号を含む初期メッセージを受信する受信部と、
前記着信番号を使用する着信側の位置情報を獲得し、予め格納しているホームサービスデータベースから前記着信側の位置情報が前記有線通信網を通じて提供される有線網サービスに加入しているフェムトセルを表すか否かを確認し、前記有線網サービスに加入しているフェムトセルを表す場合、前記有線網サービスデータベースから前記フェムトセル識別子にマッピングされた有線網サービスメンバーを獲得し、前記有線網サービスメンバーの位置を確認し、
前記確認の結果、前記有線網サービスメンバーが前記移動網登録端末機の位置情報が表す前記フェムトセルに位置する場合、前記有線網サービスメンバーに前記発信要請された有線網サービスデータの送信を知らせるリング信号を同時に送信するように送信部を制御し、前記受信部が前記有線網サービスメンバーのうち、第１有線網サービスメンバーから応答メッセージを受信すれば、前記第１有線網サービスメンバーを除外した残りの有線網サービスメンバーへの前記リング信号の送信を中断する制御部を含み、
前記有線網サービスは、前記小規模通信領域の内に位置した少なくとも１つの移動網登録端末機と、移動網未登録端末機に前記有線通信網から提供される通信サービスを表すことを特徴とする通信サービス提供装置。
【請求項１９】
前記小規模通信領域は、事務室、住居地、及びビルディングのうち、少なくとも１つを含むことを特徴とする請求項１８に記載の通信サービス提供装置。
【請求項２０】
前記ホームサービスデータベースは、
前記通信システムが含むフェムト基地局が各々前記有線網サービスに加入したか否か、前記有線網サービスに加入したフェムト基地局の各々のフェムトセル識別子、前記フェムトセル識別子に対応するフェムト基地局が提供する有線網サービスの識別子、前記有線網サービスの識別子にマッピングされた有線網番号、及び前記有線網番号にマッピングされた有線網サービスメンバーのうち、少なくとも１つに対する情報が格納されており、
前記有線網番号は、前記有線網サービスのデータ送受信時、着信／発信番号として使われ、前記有線網サービスメンバーは前記有線網サービスに加入した構成員であって、前記有線網ホームサービスを提供するフェムトセルの領域の内に位置した少なくとも１つの移動網登録端末機と、移動網未登録端末機とを含むことを特徴とする請求項１９に記載の通信サービス提供装置。
【請求項２１】
前記受信部が前記有線通信網から特定の有線網サービスメンバーの有線網番号に設定された着信番号と、有線網サービスデータを含む初期メッセージとを受信すれば、
前記制御部は、予め格納している有線網サービスデータベースから前記特定の有線網サービスメンバーの有線網番号にマッピングされたフェムト基地局を確認し、前記フェムト基地局を通じて前記特定の有線網サービスメンバーに前記有線網サービスデータを送信するように前記送信部を制御することを特徴とする請求項１８に記載の通信サービス提供装置。
【請求項２２】
前記移動網登録端末機に前記有線網サービスを提供するフェムトセル領域の内に位置した状態で前記受信部が移動通信サービスデータを受信する場合、前記制御部は前記リング信号と区分されるリング信号を前記移動網登録端末機に送信するように前記送信部を制御することを特徴とする請求項１８に記載の通信サービス提供装置。
【発明の詳細な説明】
【技術分野】
【０００１】
本発明は、通信システムにおける小規模通信領域で通信サービスを提供する方法及び装置に関するものである。
【背景技術】
【０００２】
通信サービスが発達するにつれて、移動網に登録した端末機（以下、‘移動網登録端末機’と称する）を使用するユーザが速い速度で増加している。そして、このようなユーザは移動網登録端末機の以外に自身の家庭や事務室の内で有線網サービスを使用するための端末機（以下、‘移動網未登録端末機’と称する）を別に具備している。したがって、一人のユーザが移動に関わらず使用するための移動網登録端末機と、固定された小規模領域の内での有線通信のための移動網未登録端末機とを別に備えて使用することによって、一人のユーザが該当する用途に従って端末機を別に購入し、維持するための資源及び費用が浪費される問題点があった。
【０００３】
また、ユーザは独立した事務室、住居地、ビルディングなどの小規模通信領域であるフェムトセル（Femto Cell）領域に存在する少数の移動網登録端末機に通信サービスを提供するフェムト基地局（Femto Access Point）を設置することができる。即ち、上記フェムト基地局は陰影領域をサービスできるだけでなく、一般的な基地局（以下、‘マクロ（macro）基地局’と称する）のロード（load）を減少させることによって、マクロ基地局の容量を共有しなくてもサービス事業者のサービス容量を増加させることができる長所がある。しかしながら、現在フェムトセル領域で移動網未登録端末機と共に移動網登録端末機と使用する方法が存在しない。
【０００４】
したがって、前述したフェムトセル領域で移動網登録端末機を移動網未登録端末機と共に使用できる方案が要求される。
【先行技術文献】
【特許文献】
【０００５】
【特許文献１】欧州特許出願公開第２０７３５７７号明細書
【発明の概要】
【発明が解決しようとする課題】
【０００６】
本発明の目的は、通信システムにおける小規模通信領域で通信サービスを提供する方法及び装置を提供することにある。
【０００７】
本発明の他の目的は、任意のフェムトセル領域の内に位置した移動網登録端末機に既存の有線網サービスを提供する方法及び装置を提供することにある。
【課題を解決するための手段】
【０００８】
本発明で提案する方法は、通信システムにおける小規模通信領域のための通信サービスを提供する方法であって、移動網登録端末機から有線網サービスの識別番号と、有線網サービスデータの着信番号を含む第１有線網サービスデータ発生メッセージを受信するステップと、予め格納しているホームサービスデータベースから上記有線網サービスの識別番号にマッピングされたフェムト基地局と有線網番号を獲得するステップと、上記有線網番号を上記移動網登録端末機の発信番号に設定し、上記発信番号と上記着信番号とを含む第１初期アドレスメッセージを有線通信網へ送信するステップと、を含み、上記有線網サービスは、上記小規模通信領域の内に位置した少なくとも１つの移動網登録端末機と、移動網未登録端末機に上記有線通信網から提供される通信サービスを表すことを特徴とする。
【０００９】
本発明で提案する他の方法は、通信システムにおける小規模通信領域のための通信サービスを提供する方法であって、有線通信網を通じて移動網登録端末機から発信要請された、有線網サービスデータの着信番号を含む初期メッセージを受信すれば、上記着信番号を使用する着信側の位置情報を獲得するステップと、予め格納しているホームサービスデータベースから上記着信側の位置情報が上記有線通信網を通じて提供される有線網サービスに加入しているフェムトセルを表しているか否かを確認するステップと、上記有線サービスに加入しているフェムトセルを表す場合、上記ホームサービスデータベースから上記フェムトセル識別子にマッピングされた有線網サービスメンバー（ホームメンバー）を獲得し、上記有線網サービスメンバーの位置を確認するステップと、上記確認結果、上記有線網サービスメンバーが上記移動網登録端末機の位置情報が表す上記フェムトセルに位置する場合、上記有線網サービスメンバーに上記発信要請された有線網サービスデータの送信を知らせるリング信号を同時に送信するステップと、上記有線網サービスメンバーのうち、第１有線網サービスメンバーから応答メッセージを受信すれば、上記第１有線網サービスメンバーを除外した残りの有線網サービスメンバーへの上記リング信号の送信を中断するステップと、をさらに含み、上記有線網サービスは、上記小規模通信領域の内に位置した少なくとも１つの移動網登録端末機と、移動網未登録端末機に上記有線通信網から提供される通信サービスを表すことを特徴とする。
【００１０】
本発明で提案する装置は、通信システムにおける小規模通信領域のための通信サービスを提供する装置であって、移動網登録端末機から有線網サービスの識別番号と、有線網サービスデータの着信番号を含む第１有線網サービスデータ発生メッセージを受信する受信部と、予め格納しているホームサービスデータベースから上記有線網サービスの識別番号にマッピングされたフェムト基地局と有線網番号を獲得し、上記有線網番号を上記移動網登録端末機の発信番号に設定する制御部と、上記発信番号と上記着信番号とを含む第１初期アドレスメッセージを有線通信網へ送信する送信部と、を含み、上記有線網サービスは、上記小規模通信領域の内に位置した少なくとも１つの移動網登録端末機と、移動網未登録端末機に上記有線通信網から提供される通信サービスを表すことを特徴とする。
【００１１】
本発明で提案する他の装置は、通信システムにおける小規模通信領域のための通信サービスを提供する装置であって、有線通信網を通じて移動網登録端末機から発信要請された、有線網サービスデータの着信番号を含む初期メッセージを受信する受信部と、上記着信番号を使用する着信側の位置情報を獲得し、予め格納しているホームサービスデータベースから上記着信側の位置情報が上記有線通信網を通じて提供される有線網サービスに加入しているフェムトセルを表しているか否かを確認し、上記有線網サービスに加入しているフェムトセルを表す場合、上記有線網サービスデータベース（ホームサービスデータベース）から上記フェムトセル識別子にマッピングされた有線網サービスメンバーを獲得し、上記有線網サービスメンバーの位置を確認し、上記確認結果、上記有線網サービスメンバーが上記移動網登録端末機の位置情報が表す上記フェムトセルに位置する場合、上記有線網サービスメンバーに上記発信要請された有線網サービスデータの送信を知らせるリング信号を同時に送信するように送信部を制御し、上記受信部が上記有線網サービスメンバーのうち、第１有線網サービスメンバーから応答メッセージを受信すれば、上記第１有線網サービスメンバーを除外した残りの有線網サービスメンバーへの上記リング信号の送信を中断する制御部を含み、上記有線網サービスは、上記小規模通信領域の内に位置した少なくとも１つの移動網登録端末機と、移動網未登録端末機に上記有線通信網から提供される通信サービスを表すことを特徴とする通信サービス提供装置。
【発明の効果】
【００１２】
本発明は、フェムト基地局が設置された小規模通信領域の内に位置した移動網登録端末機が移動網未登録端末機と同一に動作する方案を提案することによって、有無線通信用途に従って端末機を別に具備する必要がないので、資源及び維持費用が低減される効果がある。
【図面の簡単な説明】
【００１３】
【図１】本発明の実施形態に係る有線網サービスを提供するための全体システムを示す図である。
【図２Ａ】本発明の実施形態に係るフェムトセルの内に位置した移動網登録端末機の有線網番号を登録する手続きを示す図である。
【図２Ｂ】本発明の実施形態に係るフェムトセルの内に固定的に位置した移動網未登録端末機が有線網サービスメンバーとして登録する手続きを示す図である。
【図３Ａ】本発明の実施形態に係る移動網未登録端末機の有線網サービスのうち、発信呼を送信する動作に対する流れ図である。
【図３Ｂ】本発明の実施形態に係る移動網登録端末機の有線網サービスのうち、発信呼を送信する動作に対する流れ図である。
【図４】本発明の実施形態に係る有線網サービスメンバーが音声有線網サービスのうち、呼を着信する動作に対する流れ図である。
【図５Ａ】本発明の実施形態に係る移動網未登録端末機の有線網サービスのうち、ＳＭＳデータを送信する動作に対する流れ図である。
【図５Ｂ】本発明の実施形態に係る有線網番号に発信されたＳＭＳデータの着信動作に対する流れ図である。
【図６Ａ】本発明の実施形態に係る特定の有線網サービスメンバーにＳＭＳデータの着信を許容するための動作に対する流れ図である。
【図６Ｂ】本発明の実施形態に係る特定の有線網サービスメンバーのみにＳＭＳデータが着信される動作に対する流れ図である。
【図７】本発明の実施形態に係るＷＳＳの細部構成を概略的に示すブロック図である。
【発明を実施するための形態】
【００１４】
以下、本発明に係る好ましい実施形態を添付した図面を参照しつつ詳細に説明する。下記の説明では本発明に係る動作の理解に必要とされる部分だけ説明され、その以外の部分の説明は本発明の要旨を曖昧にしないように省略されることに留意すべきである。
【００１５】
本発明は、各々小規模通信領域をサービスカバレッジとして有するフェムトセルを含む通信システムにおける移動網登録端末機が特定の小規模通信領域の内に位置する場合、上記移動網登録端末機に上記小規模通信領域の内に位置した移動網未登録端末機が上記小規模通信領域の内で使用する有線網サービスを提供する方法及び装置を提供する。
【００１６】
図１は、本発明の実施形態に係るホームサービスを提供するための通信システムを示す図である。この際、図１に図示された全体システムは、有線網サービスを提供するシステムの一例として図示されたものであり、その構成がこれに限定されるのではないことに留意すべきである。
【００１７】
図１を参照すると、通信システムは、フェムトセル１００、無線ソフトスイッチ（Wireless Soft Switch；以下、‘ＷＳＳ’と称する）１１０、公衆端末機交換網（Public Switched Telephone network；以下、‘ＰＳＴＮ’と称する）１２０、及びマクロセル１３０に区分される。
【００１８】
フェムトセル１００のサービング基地局であるフェムト基地局１０８は、フェムトセル１００の領域の内に位置した移動網登録端末機１０２、１０４乃至１０６に通信サービスを提供する。即ち、フェムト基地局１０８は、移動網登録端末機１０２乃至１０６に移動通信サービスだけでなく、フェムトセル１００の内に位置した移動網未登録端末機に上記ＰＳＴＮを通じて提供される有線網サービスを移動網登録端末機１０２乃至１０６に提供する。
【００１９】
ＷＳＳ１１０は、多数のフェムト基地局の各々がサービスする該当する小規模通信領域の有線網サービス関連情報を管理する。具体的に、ＷＳＳ１１０は、自身が管理する上記多数のフェムト基地局別に有線網サービスに加入したか否か、及びそれに従う有線網サービス関連情報を格納しているホームサービスデータベース（database；以下、‘ＤＢ’と称する）を具備し、これを管理する。
【００２０】
上記ホームサービスＤＢには、ＷＳＳ１１０が管理しているフェムト基地局が各々有線網サービスに加入したか否かと、該当する有線網サービスに加入したフェムト基地局の各々のフェムトセル識別子と、上記フェムトセル識別子に対応するフェムト基地局が提供する有線網サービスの識別子と、上記有線網サービスの識別子にマッピングされた有線網番号と、上記有線網番号にマッピングされた有線網サービスメンバーとが格納されている。上記有線網番号は、該当する有線網サービスのデータ送受信時、着信／発信番号として使われる番号であり、有線網サービスメンバーは該当する有線網サービスに加入して該当する有線網サービスがマッピングされたフェムトセル領域の内に位置する場合、該当する有線網サービスを使用できるユーザを表す。上記有線網サービスメンバーは、上記フェムトセル領域に位置した移動網登録端末機を含む。そして、上記フェムトセル領域に固定的に位置した移動網未登録端末機もやはり上記有線網サービスメンバーに含まれる。しかしながら、上記有線網サービスメンバーに含まれる移動網未登録端末機はフェムト基地局を通じて有線網サービスを使用するのでなく、直接的にＰＳＴＮ１２０を通じて上記有線網サービスを使用するものであって、一般的な家庭や事務室等で使用する有無線電話機などと同一に動作する。一例として、フェムト基地局１０８が提供する有線網サービスの提供を受けるホームメンバーはフェムトセル１００の領域の内に位置した移動網登録端末機１０２乃至１０６のみ該当する。移動網登録端末機１０２乃至１０６は、フェムトセル１００の領域の内に位置する場合には上記有線網サービスメンバーとして使われるが、一般的な移動網登録端末機の移動通信機能はフェムトセル１００の領域の内に位置するか否かに関わらず使用できる。即ち、移動網登録端末機１０２乃至１０６の各々がマクロセル１３０などの移動通信網のサービス領域に存在する場合、移動通信のための番号を使用して該当する移動通信網から提供される移動通信サービスを使用できる。そして、ＷＳＳ１１０は、移動網登録端末機１０２乃至１０６にフェムト基地局１０８を通じて提供される該当する有線網サービスデータが発信要請される場合と、移動通信サービスデータが発信要請される場合を表すリング信号を互いに異なる信号に区分して設定する。これによって、移動網登録端末機１０２乃至１０６がフェムトセル１００の領域の内に位置する場合、受信されるリング信号に従って該当データがフェムト基地局１０８を通じて提供される有線網サービスデータであるか、移動通信サービスデータであるかを認知できるようになる。
【００２１】
ＷＳＳ１１０は、移動網登録端末機１０２乃至１０６がフェムト基地局１０８を通じて提供される有線網サービスに加入したフェムトセル１００の領域の内に位置することを確認すれば、上記ホームサービスＤＢに移動網登録端末機１０２乃至１０６をフェムト基地局１０８の有線網サービスメンバーとして格納し、上記有線網サービスメンバーをフェムト基地局１０８が提供する有線網サービスとマッピングされた有線網番号とマッピングする。そして、移動網登録端末機１０２乃至１０６の位置情報、即ち、上記有線網番号とフェムトセル１００の識別子及びフェムト基地局１０８の識別子をホーム位置レジスタ（Home Location Register；以下、‘ＨＬＲ’と称する）１３４に登録する。この際、ＨＬＲ１３４は移動網登録端末機の位置情報を格納する一般的なＨＬＲと同様に動作する。但し、本発明でのＨＬＲは該当する移動網登録端末機の有線網ナンバーが存在する場合、上記該当する移動網登録端末機の位置情報に上記有線網ナンバーをさらに追加して管理する程度の差が存在する。
【００２２】
また、ＷＳＳ１１０は有線網番号を使用する、即ち、フェムトセル１００の領域の内に固定的に位置した移動網未登録端末機を上記有線網番号とマッピングして格納し、上記移動網未登録端末機の位置情報としてフェムトセル１００の識別子を自身が内部に具備している訪問位置レジスタ（Visitor Location Register；以下、‘ＶＬＲ’と称する）に格納する。そして、上記移動網未登録端末機がフェムトセル１００の領域から外れると、上記ＶＬＲに格納された上記移動網未登録端末機の位置情報を削除する。ＰＳＴＮ１２０は一般的な有線網通信サービスを提供する有線網を表すものであって、基本的に加入者に有線通信サービスを提供する。また、ＰＳＴＮ１２０はＷＳＳ１１０を通じてフェムト基地局１０８の有線網メンバーに一例としてフェムトセル１００の領域の内に位置した移動網登録端末機１０２乃至１０６にフェムト基地局１０８を通じて有線通信サービスを提供するか、フェムト基地局１０８を経ないで、図示していない移動網未登録端末機に直ぐに有線通信サービスを提供する。ＷＳＳ１１０とＰＳＴＮ１２０は、有線通信網課金サービス及び一般的な交換システムに要求される信号能力を提供するために使われる総合情報通信網ユーザパート（integrated services digital network User Part）（以下、‘ＩＳＵＰ’と称する）プロトコル（protocol）を使用する。
【００２３】
マクロセル１３０は一般的な移動通信サービスを提供する移動通信網であって、移動網登録端末機１０２乃至１０６が自身のサービス領域の内に存在する場合、移動網登録端末機１０２乃至１０６に移動通信サービスを提供する。マクロセル１３０は、移動網登録端末機の位置を管理するためのＨＬＲ１３４と、マクロ基地局１３２に接続した移動網登録端末機に短文メッセージサービス（short Message service；以下、‘ＳＭＳ’と称する）を提供するＳＭＳセンター（SMS center；以下、‘ＳＭＳＣ’と称する）１３６を含む。
【００２４】
また、ＳＭＳＣ１３６は、一般的にマクロセル１３０の領域の内に位置した移動網登録端末機に提供するＳＭＳメッセージを生成すると共に、ＷＳＳ１１０を通じて受信される要請に従ってフェムトセル１００のフェムト基地局１０８を通じて提供される有線網サービスに加入している有線網メンバーにも提供するＳＭＳメッセージを生成してＷＳＳ１１０に提供する。
【００２５】
以下、図２Ａ乃至図７を参照して、本発明の実施形態に係る有線網サービスを提供するための細部的な手続きを説明する。上記有線網サービス提供のための細部的な手続きは、該当するフェムト基地局が提供する有線網サービスのホーム番号及び有線網メンバーを登録する手続きと、呼及びＳＭＳデータなどの有線網サービスデータの着信／発信手続きとに分けられる。上記手続きは、各々フェムトセルの領域の内に位置した移動網登録端末機と、上記フェムトセルの内の移動網未登録端末機とに分けて説明する。
【００２６】
図２Ａは、本発明の実施形態に係るフェムト基地局を通じて提供される有線網（ホーム）番号を登録する手続きを示す図である。図２Ａを参照すると、フェムト基地局２００、ＷＳＳ２０５、ＷＳＳ２０５に位置したＶＬＲ２１０、及びＨＬＲ２１５を含む。
【００２７】
ステップ２２０で、事業者などによりフェムト基地局２００がパワーオン（power on）されれば、ステップ２２５で、フェムト基地局２００はリセット（reset）された後、リセットされたことを知らせるリセットメッセージをＷＳＳ２０５へ送信する。
【００２８】
上記リセットメッセージを受信したＷＳＳ２０５は、ステップ２３０で、自身が管理しているフェムト基地局の各々の有線網番号と有線網サービスメンバーがマッピングされているホームサービスデータベース（database；以下、‘ＤＢ’と称する）からフェムト基地局２００とマッピングされている有線網番号を獲得し、自身のＶＬＲにフェムト基地局２００が提供する有線網サービスの有線網番号として格納する。以後、ステップ２３５ａ乃至ステップ２４０ａを通じて、ＷＳＳ２０５はフェムト基地局２００が提供する有線網サービスの有線網番号を通報するための登録通報メッセージをＶＬＲ２１０を経てＨＬＲ２１５へ送信する。
【００２９】
すると、ステップ２４０ａ乃至ステップ２４０ｂで、上記登録通報メッセージを受信したＨＬＲ２１５は、ＶＬＲ２１０を通じてフェムト基地局２００の有線網番号が登録されることを表す登録通報確認メッセージをＷＳＳ２０５へ送信する。ステップ２４５で、ＷＳＳ２０５は上記リセットの完了を表すリセット応答メッセージをフェムト基地局２００に伝達する。
【００３０】
図２Ｂは、本発明の実施形態に係るフェムトセルの内に固定的に位置した移動網未登録端末機を上記フェムトセルの有線網サービスメンバーとして登録する手続きを示す図である。図２Ｂを参照すると、通信システムは、移動網未登録端末機２５０、フェムト基地局２００、ＷＳＳ２０５、ＷＳＳ２０５に位置したＶＬＲ２１０、及びＨＬＲ２１５を含む。
【００３１】
移動網未登録端末機２５０は、フェムト基地局２００のフェムトセル領域の内に固定的に位置している状態であって、ステップ２５５で、フェムト基地局２００にフェムト基地局２００が提供する有線網サービスを使用するための有線網サービスメンバーへの登録要請メッセージを送信する。
【００３２】
ステップ２６０で、フェムト基地局２００は移動網未登録端末機２５０が上記フェムトセルの内に位置することを知らせる位置アップデート要請メッセージをＷＳＳ２０５へ送信する。ステップ２６５で、ＷＳＳ２０５は上記ホームサービスＤＢからフェムト基地局２００とマッピングされている有線網番号を獲得して、上記有線網番号とフェムト基地局２００が位置したフェムトセルの識別子とを含む登録通報メッセージをＶＬＲ２１０へ送信する。ＶＬＲ２１０は、移動網未登録端末機２５０の位置情報として上記フェムトセル識別子と上記有線網番号を格納し、ステップ２７５で、上記有線網番号が格納されることを表す登録通報確認メッセージをＷＳＳ２０５へ送信する。同様に、ステップ２８０乃至ステップ２８５で、ＷＳＳ２０５はフェムト基地局２００を通じて上記有線網番号が移動網未登録端末機２５０の有線網番号として格納されたことを表す登録通報確認メッセージを移動網登録端末機２５０へ送信する。
【００３３】
図３Ａは、本発明の実施形態に係る移動網未登録端末機の音声有線網サービスのうち、発信呼を送信する動作に対する流れ図である。図３Ａを参照すると、通信システムは、移動網未登録端末機３００、フェムト基地局３０５、ＷＳＳ３１０、ＶＬＲ３１５、及びＰＳＴＮ３２０を含む。移動網登録端末機３００は、フェムト基地局３０５がサービスするフェムトセル領域に位置し、図２Ｂの手続きを通じて既にＷＳＳ３１０のＶＬＲに位置情報が登録された状態である。
【００３４】
移動網未登録端末機３００が発信しようとする発信呼が発生すれば、ステップ３２５ａ乃至ステップ３２５ｂで、フェムト基地局３０５を通じてＷＳＳ３１０にフェムト基地局３０５から発信呼が発生することを表す発信呼発生メッセージを送信する。この際、上記発信呼発生メッセージは移動網未登録端末機３００の番号を含む。
【００３５】
ステップ３３０で、ＷＳＳ３１０は移動網未登録端末機３００の有線網サービスメンバー権限を検査する。即ち、ＷＳＳ３１０はＶＬＲ３１５に移動網未登録端末機３００の位置情報を獲得し、上記位置情報に含まれた移動網未登録端末機３００のフェムトセル識別子に対応するフェムトセル領域に位置したフェムト基地局３０５が有線網サービスに加入したか否かを確認する。上記確認結果、フェムト基地局３０５が上記有線網サービスに加入した場合、ステップ３４０で、ＷＳＳ３１０は移動網未登録端末機３００に上記発信呼のためのチャンネルを割り当てて、ステップ３４５に進行する。ステップ３４５で、ＷＳＳ３１０は移動網未登録端末機３００の発信呼に対する発信番号を移動網未登録端末機３００の固有番号の代わりに、上記ホームサービスＤＢから獲得したフェムト基地局３０５にマッピングされた有線網番号を獲得して設定し、上記有線網番号を含む初期アドレスメッセージ（Initial Address Message；以下、‘ＩＡＭ’と称する）をＰＳＴＮ３２０へ送信する。上記ＩＡＭは、上記着信側端末機への呼設定に必要とされるアドレス情報を全て受信したことを知らせるメッセージであって、上記有線網番号に設定された移動網未登録端末機３００の発信番号と、上記発信呼が着信されることを要請する着信側端末機の番号とを含む。
【００３６】
一方、ステップ３５０で、ＰＳＴＮ３２０は上記着信側端末機の番号にリング（ring）、即ち、発信呼を知らせる信号を送信し、ステップ３６０で、上記着信側端末機への呼設定に必要とされるアドレス情報を全て受信したことを知らせる初期アドレスメッセージ（Address Complete Message；以下、‘ＡＣＭ’と称する）をＷＳＳ３１０へ送信する。以後、上記着信側端末機から上記リングに対する応答を受信すれば、ステップ３６５で、ＰＳＴＮ３２０は上記リングに対する応答を受信することを表す応答メッセージ（Answer Message；以下、‘ＡＮＭ’と称する）をＷＳＳ３１０へ送信する。
【００３７】
図３Ｂは、本発明の実施形態に係る移動網登録端末機の音声有線網サービスのうち、発信呼を送信する動作に対する流れ図である。図３Ｂを参照すると、通信システムは、移動網登録端末機３６５、フェムト基地局３０５、ＷＳＳ３１０、ＨＬＲ３１５、及びＰＳＴＮ３２０を含む。この際、移動網登録端末機３６５はフェムト基地局３６４のフェムトセルの領域の内に位置して移動通信サービスと有線網サービスとを同時に使用可能な状態であり、フェムト基地局３０５は上記有線網サービスに加入した状態であると仮定する。
【００３８】
移動網登録端末機３６５が発信しようとする発信呼が発生すれば、ステップ３６２ａ乃至ステップ３６２ｂで、フェムト基地局３０５を通じてＷＳＳ３１０に上記発信呼が発生することを表す発信呼発生メッセージを送信する。この際、上記発信呼発生メッセージは移動網登録端末機３６５が加入した有線網サービス識別番号と、上記発信呼の目的地である着信側番号とを含む。
【００３９】
ステップ３６４で、ＷＳＳ３１０は移動網登録端末機３６５の有線網サービスメンバー権限を検査する。即ち、ＷＳＳ３１０は上記ホームサービスＤＢから上記有線網サービス識別番号にマッピングされた有線網番号を獲得し、上記有線網番号がマッピングされたフェムトセルまたはフェムト基地局の識別子が上記ＨＬＲ３１５に存在するか否かを確認し、上記確認結果、存在すれば、該当するフェムト基地局３０５の識別子を格納し、ステップ３６６に進行する。ステップ３６６で、ＷＳＳ３１０はフェムト基地局３０５を通じて上記発信呼のためのチャンネルを移動網登録端末機３６５に割り当てて、ステップ３６８に進行する。ステップ３６８で、ＷＳＳ３１０は移動網登録端末機３６５の発信番号を上記獲得した有線網番号に設定し、ステップ３７０で、上記有線網番号を含むＩＡＭをＰＳＴＮ３２０へ送信する。上記ＩＡＭは、上記有線網番号に設定された移動網登録端末機３６５の発信番号と、上記着信側番号とを含む。上記着信側番号も有線網番号に設定される。
【００４０】
一方、ステップ３７２で、ＰＳＴＮ３２０は上記着信側にリング（ring）、即ち、発信呼を知らせる信号を送信し、ステップ３７６で、ＡＣＭをＷＳＳ３１０へ送信する。以後、上記着信側端末機から上記リングに対する応答を受信すれば、ステップ３７８で、ＰＳＴＮ３２０は上記リングに対する応答を受信することを表すＡＮＭをＷＳＳ３１０に送信する。
【００４１】
図４は、本発明の実施形態に係る有線網サービスメンバーが音声有線網サービスのうち、呼を着信する動作に対する流れ図である。ここで、通信システムは、有線網サービスメンバー１ ４００、有線網サービスメンバー２ ４０５、有線網サービスメンバー３ ４１０、フェムト基地局４１５、ＷＳＳ４２０、ＶＬＲ４２５、ＨＬＲ４３０、及びＰＳＴＮ４３５を含む。フェムト基地局４１５は、ＰＳＴＮ４３５から提供される有線網サービスを自身のサービスカバレッジ、即ち、フェムトセル領域の内に位置した移動端末機に提供し、上記有線網サービスに加入しているホームメンバー１ ４００乃至ホームメンバー３ ４１０は、各々フェムト基地局４１５のフェムトセル領域の内に位置する。
【００４２】
ステップ４４０で、ＰＳＴＮ４３５は発信側から要求された発信呼の着信側番号を含むＩＡＭメッセージをＷＳＳ４２０に送信する。この際、上記発信呼を送信した発信側が移動網登録端末機を使用する場合を仮定して説明する。
【００４３】
ステップ４４５ａで、ＷＳＳ４２０がＨＬＲ４３０に上記着信側番号を含む上記着信側の位置要請メッセージを送信する。すると、ステップ４４５ｂで、ＨＬＲ４３０は上記着信側番号がマッピングされた移動網登録端末機の位置情報、即ち、上記移動網登録端末機が位置したフェムトセル領域をサービスするフェムト基地局が存在する場合、上記フェムト基地局の識別子を含む位置応答メッセージをＷＳＳ４２０に送信する。
【００４４】
ステップ４５０で、ＷＳＳ４２０はホームサービスＤＢから上記フェムト基地局の識別子が有線網サービスに加入したか否かを確認する。上記確認結果、有線網サービスに加入した場合、上記フェムト基地局の識別子にマッピングされた有線網サービスメンバーを確認し、ステップ４５５に進行する。ステップ４５５で、ＷＳＳ４２０は上記ホームメンバーのうち、ＶＬＲ４２５に格納されている有線網サービスメンバー、即ち、移動網未登録端末機の位置を照合する。ステップ４６０で、上記照合結果、上記有線網サービスメンバーの位置が上記発信側が位置したフェムトセル領域の内に位置するか否かを確認する。上記確認結果、上記発信側が位置したフェムトセル領域の内に位置する場合、ステップ４６５ａ乃至ステップ４６５ｃに進行する。ステップ４６５ａ乃至ステップ４６５ｃで、ＷＳＳ４２０はステップ４５０で確認されたホームメンバー、即ち、有線網サービスメンバー１ ４００、有線網サービスメンバー２ ４０５、及び有線網サービスメンバー３ ４１０に各々ページング要請メッセージを送信し、これに対する応答メッセージを受信する。ここでは、有線網サービスメンバー１ ４００乃至有線網サービスメンバー３ ４１０がアイドル（idle）状態であることを仮定する。
【００４５】
以後、ステップ４７０で、ＷＳＳ４２０はＰＳＴＮ４３５に上記ページング応答メッセージを受信することを表すＡＣＭを送信する。以後、ＷＳＳ４２０は、有線網サービスメンバー１ ４００、有線網サービスメンバー２ ４０５、及び有線網サービスメンバー３ ４１０の各々に上記発信呼のためのチャンネルを割り当てて、上記発信呼を知らせる信号、即ち、リングを送信し、一例として、ステップ４８０で、上記リングに対する応答メッセージを有線網サービスメンバー２ ４０５から受信する。すると、ステップ４８５で、ＷＳＳ４２０は上記リングに対する応答メッセージを受信しない有線網サービスメンバー１ ４００及び有線網サービスメンバー３ ４１０へのリング送信を中断する。そして、ステップ４９０で、有線網サービスメンバー２ ４０５から上記リングに対する応答を受信することを表すＡＮＭメッセージをＰＳＴＮ４３５へ送信する。前述した手続きを完了することによって、ステップ４９５で、有線網サービスメンバー２ ４０５は上記ＰＳＴＮ４３５を通じて上記発信呼を送信した発信側と音声通信を遂行する。
【００４６】
一方、有線網サービスメンバー２ ４０５が通信中の発信側が移動網登録端末機の場合を仮定する。上記移動網登録端末機が上記発信側のフェムトセル領域から外れた場合、有線網サービスメンバー２ ４０５との通話を解除する。
【００４７】
図５Ａは、本発明の実施形態に係る移動網未登録端末機の有線網サービスのうち、ＳＭＳデータを送信する動作に対する流れ図である。図５Ａを参照すると、通信システムは、移動網未登録端末機５００、フェムト基地局５０２、ＷＳＳ５０４、ＶＬＲ５０６、及びＳＭＳＣ５０８を含む。
【００４８】
移動網未登録端末機５００が着信側へ送信しようとする発信ＳＭＳデータが発生すれば、ステップ５１０ａ乃至ステップ５１０ｂで、フェムト基地局５０２を通じてＳＭＳデータ発生メッセージをＷＳＳ５０４へ送信する。上記ＳＭＳデータ発生メッセージを受信したＷＳＳ５０４は、ステップ５１２で、移動網未登録端末機５００の権限を検査する。即ち、ＷＳＳ５０４はＶＬＲ５０６に移動網未登録端末機５００の位置情報を獲得し、上記位置情報に含まれた移動網未登録端末機５００のフェムト基地局５０２の識別子に対応するフェムト基地局５０２が有線網サービスに加入したか否かを確認する。上記確認結果、フェムト基地局５０２が上記有線網サービスに加入した場合、ステップ５１４で、ＷＳＳ５０４は移動網未登録端末機５００に上記ＳＭＳデータのためのチャンネルを割り当てる。
【００４９】
以後、ステップ５１６ａ乃至ステップ５１６ｂで、移動網未登録端末機５００は、上記割り当てられたチャンネルを介して上記発信ＳＭＳデータを含むＳＭＳデータ伝達要請メッセージをフェムト基地局５０２を通じてＷＳＳ５０４へ送信する。すると、ステップ５１８で、ＷＳＳ５０４は上記ＳＭＳデータの発信番号を上記有線網サービスＤＢから獲得されたフェムト基地局５０２にマッピングされた有線網番号に設定し、ステップ５２０に進行する。ステップ５２０で、ＷＳＳ５０４は、上記ＳＭＳデータと、上記ＳＭＳデータの発信番号に設定された有線網番号を含むＳＭＳデータ伝達要請メッセージをＳＭＳＣ５０８へ送信する。すると、ステップ５２２で、ＳＭＳＣ５０８は、上記ＳＭＳデータを含むＳＭＳデータ伝達指示メッセージをＷＳＳ５０４へ送信する。
【００５０】
図５Ｂは、本発明の実施形態に係る有線網番号に発信されたＳＭＳデータの着信動作に対する流れ図である。
【００５１】
図５Ｂを参照すると、通信システムは、有線網サービスメンバー１ ５３０、有線網サービスメンバー２ ５３２、有線網サービスメンバー３ ５３４、フェムト基地局５３６、ＷＳＳ５３８、ＶＬＲ５４０、ＨＬＲ５４２、及びＳＭＳＣ５４４を含む。この際、有線網サービスメンバー１ ５３０、有線網サービスメンバー２ ５３２、及び有線網サービスメンバー３ ５３４の各々は、フェムト基地局５３６のフェムトセル領域に位置し、フェムト基地局５３６が提供する有線網サービスサービスに加入した状態である。
【００５２】
また、ＳＭＳＣ５４４は、前述したような図５Ａでの手続きが完了した以後の状態であることを仮定し、したがって、ＳＭＳデータ発信を要請した発信側から送信されたＳＭＳデータと、上記発信側有線網番号を格納している状態である。ステップ５４８ａで、ＳＭＳＣ５４４は、ＨＬＲ５４２に発信側ホーム番号を含むＳＭＳデータ伝達要請メッセージを送信する。ステップ５４８ｂで、ＨＬＲ５４２は上記ＳＭＳデータ伝達要請メッセージに対する応答メッセージをＳＭＳＣ５４４に送信し、ステップ５５０に進行する。上記応答メッセージは、上記ホーム番号と、上記ホーム番号を管理するＷＳＳ５３８のアドレスとを含む。
【００５３】
ＷＳＳ５３８のアドレスを獲得したＳＭＳＣ５４４は、ステップ５５０で、上記ＳＭＳデータと上記有線網番号を含むＳＭＳデータ伝達要請メッセージをＷＳＳ５３８に送信する。すると、ステップ５５２で、ＷＳＳ５３８はホームサービスＤＢを通じて上記有線網番号が存在するか否かを確認し、上記有線網番号が存在する場合、上記有線網番号にマッピングされた有線網サービスメンバーを確認し、ステップ５５４に進行する。ステップ５５４で、ＷＳＳ５３８はＶＬＲ５４０で上記有線網サービスメンバーの位置を照合する。ステップ５５６で、ＷＳＳ５３８は上記照合結果、上記有線網サービスメンバーのうち、現在位置がフェムト基地局５３６がサービングするフェムトセルのサービス領域の内に位置する有線網サービスメンバーをリスト化する。一例として、リスト化された有線網サービスメンバーは、有線網サービスメンバー１ ５３０、有線網サービスメンバー２ ５３２、及び有線網サービスメンバー３ ５３４と仮定する。
【００５４】
以後、ＷＳＳ５３８は、ステップ５５８ａ乃至ステップ５５８ｃを通じて上記リスト化された有線網サービスメンバー１ ５３０、有線網サービスメンバー２ ５３２、及び有線網サービスメンバー３ ５３４の各々にページング要請メッセージを送信し、これに対する応答メッセージを受信する。そして、ステップ５６０で、有線網サービスメンバー１ ５３０、有線網サービスメンバー２ ５３２、及び有線網サービスメンバー３ ５３４の各々に上記ＳＭＳデータのためのチャンネルを割り当てた後、ステップ５６２で、有線網サービスメンバー１ ５３０、有線網サービスメンバー２ ５３２、及び有線網サービスメンバー３ ５３４の各々に上記ＳＭＳデータを送信する。そして、ステップ５６４で、上記ＳＭＳデータの送信が完了することを知らせるＳＭＳデータ送信確認メッセージをＳＭＳＣ５４４に送信する。
【００５５】
図６Ａは、本発明の実施形態に係る特定の有線網サービスメンバーにＳＭＳデータの着信を許容するための動作に対する流れ図である。図６Ａを参照すると、通信システムは、有線網サービスメンバー６００、フェムト基地局６０２、ＷＳＳ６０４、ＶＬＲ６０６、及びＰＳＴＮ６０８を含む。
【００５６】
有線網サービスメンバー６００が送信しようとする発信ＳＭＳデータが発生すれば、ステップ６１２ａ乃至ステップ６１２ｂで、フェムト基地局６０２を通じてＳＭＳデータ発生メッセージをＷＳＳ６０４へ送信する。この際、上記ＳＭＳデータ発生メッセージは、上記有線網サービスメンバー６００の有線網サービスに加入した少なくとも１つの他のホームメンバーを指示するコードを含む。
【００５７】
上記ＳＭＳデータ発生メッセージを受信したＷＳＳ６０４は、ステップ６１４で、有線網サービスメンバー６００の権限を検査する。即ち、ＷＳＳ６０４は、上記コードが指示する有線網サービスメンバーの位置情報がＶＬＲ６０６に存在するか否かを検査する。上記検査結果、上記有線網サービスメンバーの位置情報、即ち、上記有線網サービスメンバーが位置したフェムトセルの識別子を獲得し、上記有線網サービスメンバーが位置したフェムトセルが有線網サービスメンバー６００のフェムトセルと同一であるか否かを確認する。上記確認結果、同一である場合、ステップ６１６で、ＷＳＳ６０４は上記ＳＭＳデータのためのチャンネルを割り当てて、ステップ６１８に進行する。ステップ６１８で、ＷＳＳ６０４は上記ＳＭＳデータ着信時、有線網サービスメンバー６００の有線網サービスに加入した有線網サービスメンバーのうち、上記ＳＭＳデータ発生メッセージに含まれた少なくとも１つのコードが指示する有線網サービスメンバーのみに上記ＳＭＳデータが着信されるように設定する。ステップ６２０ａ乃至ステップ６２０ｂで、ＷＳＳ６０４は上記少なくとも１つのコードが指示する有線網サービスメンバーのみに上記ＳＭＳデータが着信されるように設定されることを知らせる確認メッセージをフェムト基地局６０２を通じて有線網サービスメンバー６００に送信する。
【００５８】
図６Ｂは、本発明の実施形態に係る特定の有線網サービスメンバーのみにＳＭＳデータが着信される動作に対する流れ図である。
【００５９】
図６Ｂを参照すると、通信システムは、有線網サービスメンバー３  ６２２、フェムト基地局６０２、ＷＳＳ６０４、ＶＬＲ６０６、ＨＬＲ６１０、及びＳＭＳＣ６１２を含む。
【００６０】
また、ＳＭＳＣ６１２は、前述したような図６Ａでの手続きが完了した以後の状態を認知することを仮定し、したがって発信側から送信されたＳＭＳデータを格納している状態である。
【００６１】
ステップ６３４ａで、ＳＭＳＣ６１２はＨＬＲ６１０に発信側有線網番号を含むＳＭＳデータ伝達要請メッセージを送信する。ステップ６３４ｂで、ＨＬＲ６１０は上記ＳＭＳデータ伝達要請メッセージに対する応答メッセージをＳＭＳＣ６１２に送信する。上記応答メッセージは、上記有線網番号と、上記有線網番号を管理するＷＳＳ６０４のアドレスとを含む。
【００６２】
ＷＳＳ６０４のアドレスを獲得したＨＬＲ６１０は、ステップ６３６で、上記ＳＭＳデータと上記有線網番号を含むＳＭＳデータ伝達要請メッセージをＷＳＳ６０４に送信する。すると、ステップ６３８で、ＷＳＳ６０４はホームサービスＤＢを通じて上記有線網番号が存在するか否かを確認し、上記有線網番号が存在する場合、上記有線網番号にマッピングされた有線網サービスメンバーのうち、上記発信側から送信された特定の有線網サービスメンバー指示コードに相応する特定の有線網サービスメンバー３  ６２２のみに上記ＳＭＳデータが送信されるように決定されていることを確認した後、ステップ６４０に進行する。ステップ６４０で、ＷＳＳ６０４はＶＬＲ６０６で上記特定の有線網サービスメンバーの位置を照合する。ステップ６４２で、ＷＳＳ６０４は上記照合結果、上記特定の有線網サービスメンバー３  ６２２の現在位置がフェムト基地局６０２のサービス領域の内に位置することを確認する。この際、ＷＳＳ６０４はステップ６４４で、特定の有線網サービスメンバー３  ６２２にページング要請メッセージを送信し、これに対する応答メッセージを受信する。そして、ステップ６４６で、特定の有線網サービスメンバー３  ６２２に上記ＳＭＳデータのためのチャンネルを割り当てた後、ステップ６４８で、上記特定の有線網サービスメンバー３  ６２２に上記ＳＭＳデータを送信する。そして、ステップ６５０で、上記ＳＭＳデータの送信が完了することを知らせるＳＭＳデータ送信確認メッセージをＳＭＳＣ６１２に送信する。
【００６３】
図７は、本発明の実施形態に係るＷＳＳの細部構成を概略的に示すブロック図である。
図７に示すように、ＷＳＳ７００は、ホームサービスＤＢ７０５、制御部７１０、送信部７１５、ＶＬＲ７２５、及び受信部７２０を含む。
【００６４】
制御部７１０は、ホームサービスＤＢ７０５、送信部７１５、ＶＬＲ７２５、及び受信部７２０を制御する。
【００６５】
ホームサービスＤＢ７０５は、ＷＳＳ７００が管理しているフェムト基地局別に有線網サービスに加入したか否かと、上記有線網サービスに加入したフェムト基地局識別子と、上記フェムト基地局のフェムトセル識別子と、上記フェムトセル識別子に対応するフェムト基地局が提供する有線網サービスの識別子と、上記有線網サービスの識別子にマッピングされた有線網番号と、上記有線網番号にマッピングされたホームメンバーとを互いにマッピングして格納する。
【００６６】
制御部７１０の制御に従ってホームサービスＤＢ７０５は、移動網登録端末機が有線網サービスに加入した特定のフェムトセルの領域の内に位置することを確認すれば、上記移動網登録端末機を上記特定のフェムト基地局の有線網サービスメンバーとして格納し、上記有線網サービスメンバーを上記特定のフェムト基地局とマッピングされた有線網番号及び上記特定のフェムト基地局が提供する有線網サービス識別子とマッピングする。そして、制御部７１０は、上記特定のフェムトセルの領域の内に位置した上記移動網登録端末機の位置情報、即ち、上記特定のフェムト基地局のフェムトセル識別子と有線網番号を送信部７１５を通じて、図面に図示してはいないが、外部に位置したＨＬＲに登録する。また、制御部７１０は、上記特定のフェムトセルの領域の内に位置した移動網未登録端末機のフェムトセル識別子と有線網番号とを上記移動網未登録端末機の位置情報としてＶＬＲ７２５に格納する。そして、制御部７１０は上記移動網未登録端末機が加入した有線網サービスを提供するフェムトセルの領域から外れれば、ＶＬＲ７２５に格納された上記移動網未登録端末機の位置情報を削除する。送信部７１５及び受信部７２０は、各々制御部７１０の制御に従って有線網サービスのためのＳＭＳデータあるいは着信／発信呼の送受信のためのメッセージを該当するフェムト基地局、上記ＨＬＲ、ＳＭＳＣ、及びＰＳＴＮへ送信する。上記メッセージは、図２Ａ乃至図６Ｂで既に説明されたことがあるので、ここではその詳細な説明を省略する。
【００６７】
前述したように構成されるＷＳＳの動作を通じて、有線網サービスに加入したフェムトセルの領域の内に移動網登録端末機が位置する場合、上記移動網登録端末機を通じて有線網サービスを使用できるようになる。
【００６８】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００６９】
１００  フェムトセル
１０２、１０４、１０６  移動網登録端末機
１０８  フェムト基地局
１１０  ＷＳＳ
１２０  ＰＳＴＮ
１３０  マクロセル
１３２  マクロ基地局
１３４  ＨＬＲ
１３６  ＳＭＳＣ
【図１】
2011114871.tif 000003
【図２Ａ】
2011114871.tif 000004
【図２Ｂ】
2011114871.tif 000005
【図３Ａ】
2011114871.tif 000006
【図３Ｂ】
2011114871.tif 000007
【図４】
2011114871.tif 000008
【図５Ａ】
2011114871.tif 000009
【図５Ｂ】
2011114871.tif 000010
【図６Ａ】
2011114871.tif 000011
【図６Ｂ】
2011114871.tif 000012
【図７】
2011114871.tif 000013